(57)【特許請求の範囲】
【請求項１】
磁石と、
この磁石の磁気を感知する位置に設けられ、感知した磁気に応動する磁気感応素子と、
この磁気感応素子と前記磁石との間に設けられ、前記磁石の磁気を透過する開口を有し、それ以外の部分で前記磁石の磁気を遮断する第１の遮断部材と、
この第１の遮断部材の前記開口を開閉するように設けられ、その開口を閉鎖したときに前記磁石の磁気を遮断する第２の遮断部材と、
を具備して成ることを特徴とする磁気感応スイッチ。
【発明の詳細な説明】
【技術分野】
【０００１】
本発明は、磁石と磁気感応素子との間を開閉してスイッチ信号を得る磁気感応スイッチに関する。
【背景技術】
【０００２】
従来より、磁気感応スイッチにおいては、図２に示すごとく構成されたものが一般的に供されている。この図２において、１は磁石を示しており、例えば永久磁石であって、ケース２の内面に固定配置されている。これに対して、３は磁気感応素子を示しており、例えばホール素子であって、ケース２に結合された回路基板４に固定配置され、磁石１と対向している。
【０００３】
そして、５は遮断部材を示しており、磁性体から成っていて、上記磁石１と磁気感応素子３との間に設けられ、一端部がケース２に形成された孔６を貫通して外部に突出している。この遮断部材５の突出端部には操作ノブ７が取付けられており、この操作ノブ７とケース２との間には圧縮スプリング８が介在され、操作ノブ７をケース２から離間させると共に、遮断部材５を磁石１と磁気感応素子３との間から退避させている。
【０００４】
この構成では、常時は、遮断部材５が磁石１と磁気感応素子３との間から退避されていることにより、磁気感応素子３が磁石１の磁気を感知して出力信号を発している。
これに対し、操作ノブ７が矢印Ａで示すように押圧操作されると、遮断部材５が二点鎖線で示すように磁石１と磁気感応素子３との間に至ってその間を遮断することにより、磁気感応素子３が磁石１の磁気を感知することがなくなって出力信号を発しなくなる。
かくして、スイッチ信号が得られる。
なお、操作ノブ７の上記押圧操作が解除されれば、常時の状態に戻る。
【発明の開示】
【発明が解決しようとする課題】
【０００５】
上記従来のものの場合、遮断部材５が操作ノブ７の押圧操作に基づいて磁石１と磁気感応素子３との間を遮断するとき、遮断部材５の移動量が不足すると、遮断部材５が磁石１と磁気感応素子３との間を遮断し切れずに、磁気感応素子３が磁石１の磁気を感知し続け、出力信号を発しなくなることがない。従って、スイッチとしての大きさやスイッチ組込み先の構造上の理由などから遮断部材５の移動量を大きくできない状況では、スイッチとしての機能が不確かとなっていた。
【０００６】
本発明は上述の事情に鑑みてなされたものであり、従ってその目的は、遮断部材の移動量を大きくできない状況でも、スイッチとしての機能を正確に得ることのできる磁気感応スイッチを提供するにある。
【課題を解決するための手段】
【０００７】
上記目的を達成するために、本発明の磁気感応スイッチは、磁石と、この磁石の磁気を感知する位置に設けられ、感知した磁気に応動する磁気感応素子と、この磁気感応素子と前記磁石との間に設けられ、前記磁石の磁気を透過する開口を有し、それ以外の部分で前記磁石の磁気を遮断する第１の遮断部材と、この第１の遮断部材の前記開口を開閉するように設けられ、その開口を閉鎖したときに前記磁石の磁気を遮断する第２の遮断部材とを具備して成ることを特徴とする。
【発明の効果】
【０００８】
上記手段によれば、第２の遮断部材が第１の遮断部材の開口を開閉することにより、磁石の磁気による磁気感応素子の応動と応動停止とが行われ、スイッチ信号が得られるもので、第２の遮断部材は第１の遮断部材の開口を開閉する距離だけ移動すれば良く、かくして、遮断部材の移動量を大きくできない状況でも、スイッチとしての機能を正確に得ることができる。
【発明を実施するための最良の形態】
【０００９】
以下、本発明の一実施例（一実施形態）につき、図１を参照して説明する。
図１において、磁石１１、ケース１２、磁気感応素子１３、回路基板１４は、それぞれ、従来の磁石１、ケース２、磁気感応素子３、回路基板４と同一であり、従って、これらの説明は省略し、異なるものについてのみ、以下に述べる。
【００１０】
上記磁石１１と磁気感応素子１３との間には、従来の遮蔽部材５に代えて、磁性体から成る第１の遮断部材１５と、同じく磁性体から成る第２の遮断部材１６とを設けている。このうち、第１の遮断部材１５は、磁性体から成っていて、磁気感応素子１３側に位置しており、この磁気感応素子１３に対して磁石１１の磁気を透過する開口１７を有し、それ以外の部分で磁石１１の磁気を遮断するようになっている。なお、この場合、開口１７は磁気感応素子１３が磁石１１の磁気を感知する最小限の大きさとしているが、それよりやや大きくても良い。又、開口１７は孔、切欠きのいずれであっても良い。
【００１１】
これに対して、第２の遮断部材１６は、磁石１１側に位置しており、これも磁性体から成っていて、磁石１１と磁気感応素子１３との対向方向と直交する方向（図で左右方向）に移動可能となっており、その移動により、第１の遮断部材１５の開口１７を開閉し、その開口１７を閉鎖したときに磁石１１の磁気を遮断するようになっている。
【００１２】
そして又、第２の遮断部材１６は、一端部をケース１２に形成した孔１８を貫通させて外部に突出させており、この第２の遮断部材１６の突出端部には従来の操作ノブ７と同様の操作ノブ１９を取付けている。更に、その操作ノブ１９とケース１２との間には圧縮スプリング２０を介在させており、この圧縮スプリング２０の弾発力で、操作ノブ１９をケース１２から離間させると共に、第２の遮断部材１６を前記第１の遮断部材１５の開口１７を閉鎖する位置から退避させている。
【００１３】
以上の構成で、常時は、第２の遮断部材１６が第１の遮断部材１５の開口１７を閉鎖する位置から退避されて該開口１７を開放していることにより、磁石１１の磁気が第１の遮断部材１５の開口１７を透過して磁気感応素子１３に及ぶ。従って、磁気感応素子１３が磁石１１の磁気を感知して出力信号を発している（磁気感応素子１３応動）。
【００１４】
これに対し、操作ノブ１９が矢印Ａで示すように押圧操作されると、第２の遮断部材１６が図で右方向に移動して二点鎖線で示すように第１の遮断部材１５の開口１７を閉鎖し、磁石１１と磁気感応素子１３との間を遮断する。このため、磁石１１の磁気が磁気感応素子１３に及ばなくなり、磁気感応素子１３は磁石１１の磁気を感知することがなくなって出力信号を発しなくなる（磁気感応素子１３応動停止）。
かくして、スイッチ信号が得られる。
なお、操作ノブ１９の上記押圧操作が解除されれば、常時の状態に戻る。
【００１５】
このように本構成のものでは、第２の遮断部材１６が第１の遮断部材１５の開口１７を開閉することにより、磁石１１の磁気による磁気感応素子１３の応動と応動停止とが行われ、スイッチ信号が得られるもので、第２の遮断部材１６は第１の遮断部材１５の開口１７を開閉する距離だけ移動すれば良い。かくして、スイッチとしての大きさやスイッチ組込み先の構造上の理由などから遮断部材（第２の遮断部材１６）の移動量を大きくできない状況でも、スイッチとしての機能を正確に得ることができる。
【００１６】
なお、本発明は上記し且つ図面に示した実施例にのみ限定されるものではなく、特に永久磁石で例示した磁石１１は電磁石に変えても良く、又、ホール素子で例示した磁気感応素子１３は磁気抵抗素子に変えても良いなど、要旨を逸脱しない範囲内で適宜変更して実施し得る。
【図面の簡単な説明】
【００１７】
【図１】本発明の一実施例を示す断面図
【図２】従来例を示す断面図
【符号の説明】
【００１８】
図面中、１１は磁石、１３は磁気感応素子、１５は第１の遮断部材、１６は第２の遮断部材、１７は開口を示す。
【図１】
0004486002.tif 000002
【図２】
0004486002.tif 000003